(57)【要約】【課題】  着脱可能なフランジ部材とコア部材を有すると共に、該コア部材に接合跡が形成されない組立て式キャリアテープ用リールを提供する。【解決手段】  コア部材と、前記コア部材に取り付けられる２つのフランジ部材と、を有し、該コア部材は、円筒と、円形以外の形状を呈する軸穴が穿設される軸管と、複数の補強部材と、を備え、前記円筒は、内周壁と、少なくとも１つの刻み目が設けられる外周壁と、２つの端部と、を有すると共に、該２つの端部における該内周壁に複数の第１係止部材が設けられ、前記軸管は前記円筒の中央に設けられると共に、外周壁を有し、前記複数の補強部材は前記円筒の内周壁と前記軸管の外周壁との間に設置され、該フランジ部材は前記軸穴に対応する中央孔が穿設されると共に、前記コア部材の円筒の端部に取り付けられる中央部を備え、該中央部に前記複数の第１係止部材に係止する複数の第２係止部材が設けられる。【選択図】図１
0003126494.tif 000002
【実用新案登録請求の範囲】
【請求項１】
コア部材と、前記コア部材に取り付けられる２つのフランジ部材とを有し、
前記コア部材は、リムと、円形以外の形状を呈する軸穴が穿設される軸管と、複数のアームと、を備え、
前記リムは、内周壁と、少なくとも１つのスリットが形成された外周壁と、２つの端部側面とを有すると共に、該２つの側面における内周壁側にそれぞれ複数の第１掛止部材が設けられ、
前記軸管は、リムの中央に設けられると共に、外周壁を有し、
前記複数のアームは、リムの内周壁と軸管の外周壁との間に設置され、
前記各フランジ部材は、前記コア部材におけるリムの端部に取り付けられる中央部と、該中央部の中心に穿設されると共に、前記軸穴に対応する中央孔と、を有し、該中央部に前記複数の第１掛止部材に掛止される複数の第２掛止部材が設けられることを特徴とする組立て式キャリアテープ用リール。
【請求項２】
前記第１掛止部材は、リムの内周壁に突片状に設けられると共に、その内側面に１つの突起部が設けられ、
前記第２係止部材は、フランジ部材に凸設される連結部と、該連結部に設けられる掛止プレートと、を備え、該掛止プレートは、フランジ部材に対してほぼ平行に該連結部から延出し、更に、前記第１掛止部材の突起部に係止される係止孔を有することを特徴とする請求項１に記載の組立て式キャリアテープ用リール。
【請求項３】
前記第２掛止部材の掛止プレートの端部に斜面部が形成され、前記第１掛止部材は、第２係止部材と相対する側面を有し、該側面に傾斜部が形成され、又、該第１掛止部材の内側面に、該第１掛止部材の突起部が第２掛止部材の係止孔に係止される時に、該第２掛止部材の掛止プレートの端部を阻止するストッパーが設けられることを特徴とする請求項２に記載の組立て式キャリアテープ用リール。
【考案の詳細な説明】
【技術分野】
【０００１】
本考案は、特に半導体や電子部品の実装用テープに用いる組立て式キャリアテープ用リールに関するものである。
【背景技術】
【０００２】
従来のキャリアテープ用リールは、半導体や電子部品をキャリアテープテープに取り付けた後、リールに納めるテープ＆リール形式（Tape&Reel）のテーピング包装が殆どであった。
【０００３】
図６及び図７に示すように、前記テープ＆リール形式のテーピング包装に用いる従来のキャリアテープ用リール（８０）は、中央に円形以外の形状の軸穴（８３）が穿設される２つのフランジ部材（８１）からなり、各フランジ部材（８１）は中央部と、該中央部に設けられるリム（８１１）と、を有し、該２つのフランジ部材（８１）のリム（８１１）は互いに接合されることにより、コア部材（８７）を成し、該コア部材（８７）の外周壁にキャリアテープ（９１）の先端を固定するスリット（８４）が形成され、該コア部材（８７）と２つのフランジ部材（８１）の間にキャリアテープ（９１）を納めるための間隔（８５）が設けられる。
【考案の開示】
【考案が解決しようとする課題】
【０００４】
しかしながら、前記２つのフランジ部材（８１）のリム（８１１）の間には接合跡（８６）が形成されるので、該接合跡（８６）がスムーズではない場合、前記キャリアテープ（９１）に取り付けられる電子部材に傷をつける恐れがある。  
更に、運送や収納する時には、小形のコア部材（８７）と大形の大きいフランジ部材（８１）は互いに分離できず、一緒に梱包されなければならないので、収納空間が余計に占拠されることにより、収納空間を有効的に利用できないと共に、運送コストも増加する。
【０００５】
そこで、案出されたのが本考案であって、着脱可能なフランジ部材とコア部材を有すると共に、該コア部材に接合跡が形成されない組立て式キャリアテープ用リールを提供することを目的としている。
【課題を解決するための手段】
【０００６】
本願の請求項１の考案は、コア部材と、前記コア部材に取り付けられる２つのフランジ部材とを有し、  
前記コア部材は、リムと、円形以外の形状を呈する軸穴が穿設される軸管と、複数のアームと、を備え、  
前記リムは、内周壁と、少なくとも１つのスリットが形成された外周壁と、２つの端部側面とを有すると共に、該２つの側面における内周壁側にそれぞれ複数の第１掛止部材が設けられ、  
前記軸管は、リムの中央に設けられると共に、外周壁を有し、  
前記複数のアームは、リムの内周壁と軸管の外周壁との間に設置され、  
前記各フランジ部材は、前記コア部材におけるリムの端部に取り付けられる中央部と、該中央部の中心に穿設されると共に、前記軸穴に対応する中央孔と、を有し、該中央部に前記複数の第１掛止部材に掛止される複数の第２掛止部材が設けられることを特徴とする組立て式キャリアテープ用リール、を提供する。
【０００７】
本願の請求項２の考案は、前記第１掛止部材は、リムの内周壁に突片状に設けられると共に、その内側面に１つの突起部が設けられ、  
前記第２係止部材は、フランジ部材に凸設される連結部と、該連結部に設けられる掛止プレートと、を備え、該掛止プレートは、フランジ部材に対してほぼ平行に該連結部から延出し、更に、前記第１掛止部材の突起部に係止される係止孔を有することを特徴とする請求項１に記載の組立て式キャリアテープ用リール、を提供する。
【０００８】
本願の請求項３の考案は、前記第２掛止部材の掛止プレートの端部に斜面部が形成され、前記第１掛止部材は、第２係止部材と相対する側面を有し、該側面に傾斜部が形成され、又、該第１掛止部材の内側面に、該第１掛止部材の突起部が第２掛止部材の係止孔に係止される時に、該第２掛止部材の掛止プレートの端部を阻止するストッパーが設けられることを特徴とする請求項２に記載の組立て式キャリアテープ用リール、を提供する。
【考案の効果】
【０００９】
本考案は上記の課題を解決するものであり、リールのコア部材は接合手段により形成されないことから、接合跡が現れることはないので、キャリアテープに取り付けられる電子部材も接合跡により影響を受けることはない。また、フランジ部材とコア部材は着脱可能であることから、未使用の複数のリールのフランジ部材およびコア部材を容易且つ経済的に梱包したり、詰め合わせることができるので、運送コストを低減し、収納空間の有効的な使用が可能となる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る組立て式キャリアテープ用リールの分解斜視図であり、図２は本考案に係る組立て式キャリアテープ用リールの断面図であり、図３は本考案に係る組立て式キャリアテープ用リールに納められるキャリアテープの平面断面図であり、図４は本考案に係る組立て式キャリヤテープ用リールの使用状態を示す一部平面図であり、図５は本考案に係る組立て式キャリアテープ用リールの使用状態を示す一部側面断面図である。
【００１２】
図１、図２及び図３に示すように、本考案の組立て式キャリアテープ用リールは、コア部材（２０）と、前記コア部材（２０）に取り付けられる２つのフランジ部材（３０）と、を有する。
【００１３】
前記コア部材（２０）は、リム（２４）と、円形以外の形状を呈する軸穴（２１）が穿設される軸管（２５）と、複数のアーム（２６）と、を備える。  
前記リム（２４）は、内周壁と、少なくとも１つのスリット（２２）が形成された外周壁と、２つの側面とを有すると共に、該２つの側面における内周壁にそれぞれ複数の第１掛止部材（２３）が設けられ、前記軸管（２５）は、リム（２４）の中央に設けられると共に、外周壁を有し、前記複数のアーム（２６）は、リム（２４）の内周壁と前記軸管（２５）の外周壁との間に設置される。
【００１４】
前記各フランジ部材（３０）は、前記コア部材（２０）におけるリム（２４）の端部に取り付けられる中央部と、該中央部の中心に穿設されると共に、前記軸穴（２１）に対応する中央孔（３２）とを有し、該中央部に前記複数の第１掛止部材（２３）に掛止される複数の第２掛止部材（３３）が設けられ、該複数の第１掛止部材（２３）が複数の第２掛止部材（３３）に掛止されることにより、前記２つのフランジ部材（３０）が前記コア部材（２０）のリム（２４）の２つの側面に夫々取り付けられた時、該コア部材（２０）のリム（２４）の外周壁と前記２つのフランジ部材（３０）との間にキャリアテープ（９１）を納めるための間隔（３１）が形成される。
【００１５】
図４及び図５に示すように、前記第１掛止部材（２３）は、前記リム（２４）の内周壁に突片状に設けられると共に、内側面と、前記第２掛止部材（３３）に相対する側面と、を有し、該側面に傾斜部（２３２）が形成され、又、該内側面に１つの突起部（２３１）と、ストッパー（２３３）が設けられる。
【００１６】
前記第２掛止部材（３３）は、フランジ部材（３０）に凸設される連結部（３３１）と、該連結部（３３１）に設けられる掛止プレート（３３２）とを備え、該掛止プレート（３３２）は、フランジ部材（３０）に対してほぼ平行に該連結部（３３１）から延出し、更に該掛止プレート（３３２）に前記第１掛止部材（２３）の突起部（２３１）に係止される係止孔（３３３）を有する。  
また、該掛止プレート（３３２）の端部には斜面部（３３４）が形成され、これにより、前記第１掛止部材（２３）の突起部（２３１）が前記係止孔（３３３）に係止される時、掛止プレート（３３２）の端部が第１掛止部材（２３）のストッパー（２３３）に阻止される。
【産業上の利用可能性】
【００１７】
本考案は上記の構成を有することから、リールのコア部材には接合跡が現れないので、キャリアテープに取り付けられる電子部材を傷つけることがなく、且つ損害によるコストの増大を防ぐことができる。また、フランジ部材とコア部材は着脱可能であることから、未使用の複数のリールのフランジ部材およびコア部材を容易且つ経済的に梱包したり、詰め合わせることができるので、搬送コストを低減し、収納空間の有効的な使用が可能となる。
【図面の簡単な説明】
【００１８】
【図１】本考案に係るキャリアテープ用の組合式リールの分解斜視図である。
【図２】本考案に係るキャリアテープ用の組合式リールの断面図である。
【図３】本考案に係るキャリアテープ用の組合式リールと納められるキャリアテープの断面図である。
【図４】本考案に係るキャリアテープ用の組合式リールの使用状態を示す一部平面図である。
【図５】本考案に係るキャリアテープ用の組合式リールの使用状態を示す一部断面図である。
【図６】従来のキャリアテープ用のリールを示す全体斜視図である。
【図７】従来のキャリアテープ用のリールと納められるキャリアテープの断面図である。
【符号の説明】
【００１９】
（１０）リール
（２０）コア部材
（２１）軸穴
（２２）スリット
（２３）第１掛止部材
（２３１）突起部
（２３２）傾斜部
（２３３）ストッパー
（２４）リム
（２５）軸管
（２６）アーム
（３０）フランジ部材
（３１）間隔
（３２）中央孔
（３３）第２掛止部材
（３３１）連結部
（３３２）掛止プレート
（３３３）係止孔
（３３４）斜面部
（８０）リール
（８１）フランジ部材
（８１１）リム
（８３）軸穴
（８４）スリット
（８５）間隔
（８６）接合跡
（８７）コア部材
（９１）キャリアテープ
【図１】
0003126494.tif 000003
【図２】
0003126494.tif 000004
【図３】
0003126494.tif 000005
【図４】
0003126494.tif 000006
【図５】
0003126494.tif 000007
【図６】
0003126494.tif 000008
【図７】
0003126494.tif 000009